【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
複数の撮影装置と通信可能な画像処理装置であって、
前記各撮影装置で撮影された画像を受信する画像受信手段と、
前記受信した画像を記憶領域に記憶するよう制御する画像記録制御手段と、
前記各撮影装置のうちの少なくとも１つが送信したイベントに関するイベント情報を受信するイベント情報受信手段と、
前記イベント情報と前記画像とを関連付けるための関連付け情報を記憶する関連付情報記憶手段と、
前記イベント発生時の画像を検索するための検索条件を指定するための検索条件指定手段と、
前記検索条件指定手段で指定された検索条件と前記イベント情報とを用いて前記記録領域からイベント発生時の画像を取得し、前記イベント発生時の画像と関連付けられる他の画像を前記関連付け情報を用いて前記記録領域から取得する画像取得手段と
を有することを特徴とする画像処理装置。
【請求項２】
前記画像記録制御手段は、前記複数の撮影装置で撮影した画像を連続的に第１の記録領域に記録するとともに、少なくとも１つの前記撮影装置から前記イベント情報を受信した場合は、前記イベント情報を送信した撮影装置から受信した前記イベントの発生期間に撮影された画像を第２の記録領域に記録するように制御し、
前記関連付情報記憶手段は、前記関連付け情報として、前記イベント情報と、前記第２の記録領域に記録されている画像と前記第１の記録領域に記録されている画像とを関連付けるための情報を記憶し、
前記検索条件指定手段は、前記第１の記録領域に記録されている画像及び前記第２の記録領域に記録されている画像のうち、少なくともいずれか一方の画像を検索するための検索条件を指定し、
前記画像取得手段は、前記検索条件指定手段で指定された検索条件と前記イベント情報とを用いて前記第２の記録領域から画像を取得し、取得した画像と関連付けられる前記他の画像を前記関連付け情報を用いて前記第１の記録領域から取得することを特徴とする請求項１に記載の画像処理装置。
【請求項３】
前記画像記録制御手段は、前記イベント情報を送信した撮影装置から受信した前記イベントの発生期間の前後に撮影された画像を更に前記第２の記録領域に記憶させることを特徴とする請求項２に記載の画像処理装置。
【請求項４】
前記画像記録制御手段は、前記イベント情報に基づいて前記イベントの発生を検知した撮影装置によるイベントの検知が終了したと判定した場合、当該イベント検知の終了時あるいは前記終了時から所定時間経過後に、前記イベントの発生を検知した撮影装置で撮影された画像の前記第２の記録領域への記録を終了するように制御することを特徴とする請求項２又は３に記載の画像処理装置。
【請求項５】
前記イベント情報は、イベントの種別情報、前記イベントの発生を検知した撮影装置を特定する情報、イベントの時刻情報を含むものであり、
前記検索条件指定手段で指定される検索条件は、イベントの種別、撮影した撮影装置及び撮影した時刻のうち、少なくともいずれか１つを含むものであることを特徴とする請求項１乃至４のいずれか１項に記載の画像処理装置。
【請求項６】
前記関連付け情報は、撮影装置のＩＤ番号、撮影装置のＩＰアドレス及び撮影装置のＭＡＣアドレスのうち、少なくともいずれか１つを含む撮影した撮影装置を特定する情報、撮影された時刻情報及び撮影した撮影装置の位置情報のうち、少なくともいずれか１つの情報を含むものであることを特徴とする請求項１乃至５のいずれか１項に記載の画像処理装置。
【請求項７】
前記イベントは、温度変化の検知、振動の検知、光の検知、赤外線遮断の検知、重力異常の検知及びドア開閉の検知のうち、少なくともいずれか１つの変化をセンサにより検知するセンサイベントと、前記各撮影装置が撮影する撮影領域において、当該撮影領域内における撮影画像の動きが所定のレベルに達したことを検知する動き検知イベントとを含むものであることを特徴とする請求項１乃至６のいずれか１項に記載の画像処理装置。
【請求項８】
請求項１乃至７のいずれか１項に記載の画像処理装置と、
前記画像処理装置と通信可能な撮影装置とを含むことを特徴とする画像処理システム。
【請求項９】
イベントの発生を検知する検知手段を備えた複数の撮影装置と通信可能な画像処理装置における画像処理方法であって、
前記各撮影装置で撮影された画像を受信する画像受信ステップと、
前記受信した画像を記憶領域に記憶するよう制御する画像記録制御ステップと、
前記各撮影装置のうちの少なくとも１つが送信したイベントに関するイベント情報を受信するイベント情報受信ステップと、
前記イベント情報と前記画像とを関連付けるための関連付け情報を記憶する関連付情報記憶ステップと、
前記画像のうち、イベント発生時の画像を検索するための検索条件を指定するための検索条件指定ステップと、
前記検索条件指定ステップで指定された検索条件と前記イベント情報とを用いて前記記録領域からイベント発生時の画像を取得し、前記イベント発生時の画像と関連付けられる他の画像を前記関連付け情報を用いて前記記録領域から取得する画像取得ステップと
を有することを特徴とする画像処理方法。
【請求項１０】
イベントの発生を検知する検知手段を備えた複数の撮影装置と通信可能な画像処理装置における処理をコンピュータに実行させるためのプログラムであって、
前記撮影装置で撮影され、前記撮影装置から受信した画像を記憶領域に記憶するよう制御する画像記録制御ステップと、
前記撮影装置のうちの少なくとも１つから受信したイベント情報を記憶するイベント情報記憶ステップと、
前記イベント情報と前記画像とを関連付けるための関連付け情報を記憶する関連付情報記憶ステップと、
前記画像のうち、イベント発生時の画像を検索するための検索条件を指定するための検索条件指定ステップと、
前記検索条件指定ステップで指定された検索条件と前記イベント情報とを用いて前記記録領域からイベント発生時の画像を取得し、前記イベント発生時の画像と関連付けられる他の画像を前記関連付け情報を用いて前記記録領域から取得する画像取得ステップと
をコンピュータに実行させるためのプログラム。
【手続補正２】
【補正対象書類名】明細書
【補正対象項目名】０００９
【補正方法】変更
【補正の内容】
【０００９】
本発明の画像処理装置は、複数の撮影装置と通信可能な画像処理装置であって、前記各撮影装置で撮影された画像を受信する画像受信手段と、前記受信した画像を記憶領域に記憶するよう制御する画像記録制御手段と、前記各撮影装置のうちの少なくとも１つが送信したイベントに関するイベント情報を受信するイベント情報受信手段と、前記イベント情報と前記画像とを関連付けるための関連付け情報を記憶する関連付情報記憶手段と、前記イベント発生時の画像を検索するための検索条件を指定するための検索条件指定手段と、前記検索条件指定手段で指定された検索条件と前記イベント情報とを用いて前記記録領域からイベント発生時の画像を取得し、前記イベント発生時の画像と関連付けられる他の画像を前記関連付け情報を用いて前記記録領域から取得する画像取得手段とを有する。
【手続補正３】
【補正対象書類名】明細書
【補正対象項目名】００１０
【補正方法】変更
【補正の内容】
【００１０】
本発明の画像処理システムは、前記画像処理装置と、前記画像処理装置と通信可能な撮影装置とを含む。
【手続補正４】
【補正対象書類名】明細書
【補正対象項目名】００１１
【補正方法】変更
【補正の内容】
【００１１】
本発明の画像処理方法は、イベントの発生を検知する検知手段を備えた複数の撮影装置と通信可能な画像処理装置における画像処理方法であって、前記各撮影装置で撮影された画像を受信する画像受信ステップと、前記受信した画像を記憶領域に記憶するよう制御する画像記録制御ステップと、前記各撮影装置のうちの少なくとも１つが送信したイベントに関するイベント情報を受信するイベント情報受信ステップと、前記イベント情報と前記画像とを関連付けるための関連付け情報を記憶する関連付情報記憶ステップと、前記画像のうち、イベント発生時の画像を検索するための検索条件を指定するための検索条件指定ステップと、前記検索条件指定ステップで指定された検索条件と前記イベント情報とを用いて前記記録領域からイベント発生時の画像を取得し、前記イベント発生時の画像と関連付けられる他の画像を前記関連付け情報を用いて前記記録領域から取得する画像取得ステップとを有する。
【手続補正５】
【補正対象書類名】明細書
【補正対象項目名】００１２
【補正方法】変更
【補正の内容】
【００１２】
本発明のプログラムは、イベントの発生を検知する検知手段を備えた複数の撮影装置と通信可能な画像処理装置における処理をコンピュータに実行させるためのプログラムであって、前記撮影装置で撮影され、前記撮影装置から受信した画像を記憶領域に記憶するよう制御する画像記録制御ステップと、前記撮影装置のうちの少なくとも１つから受信したイベント情報を記憶するイベント情報記憶ステップと、前記イベント情報と前記画像とを関連付けるための関連付け情報を記憶する関連付情報記憶ステップと、前記画像のうち、イベント発生時の画像を検索するための検索条件を指定するための検索条件指定ステップと、前記検索条件指定ステップで指定された検索条件と前記イベント情報とを用いて前記記録領域からイベント発生時の画像を取得し、前記イベント発生時の画像と関連付けられる他の画像を前記関連付け情報を用いて前記記録領域から取得する画像取得ステップとをコンピュータに実行させる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
本発明によれば、検索条件とイベント情報とを用いてイベント発生時の画像を取得し、また、イベント発生時の画像と関連付けられる他の画像を関連付け情報を用いて取得するようにしたので、煩雑な処理を行うことなく、取得した画像を閲覧するのみでイベントの発生原因や発生状況を容易に把握することができる。特に、撮影装置を防犯カメラとして用いる場合には、従来では不可能であった緊急事態が発生した際の発生原因や発生状況の迅速な把握、更には緊急事態の発生時刻の証明を達成できる。
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】